(57)【要約】【課題】十分な防滑性を備えるとともに、光の照射によって床材の表面層３に明暗を生じさせ、変化に富んだ高い意匠性を発揮しうる床材１の提供を目的とする。【解決手段】表面に複数の凸部が所定の間隔を設けて配設されている床材であって、前記凸部は、床材表面から略鉛直に立設する第一の立設面と、それに対向して床材表面から略鉛直に立設する第二の立設面とを備え、前記第一の立設面及び前記第二の立設面は、それぞれ上端に頂部を有し、前記頂部を構成する夾辺を備える略三角形状を呈し、前記凸部は、前記第一の立設面の頂部と前記第二の立設面と頂部とをつなぐ稜辺を有し、かつ前記稜辺から床材表面に向かって前記立設面の夾辺に沿って延びる沿面を備えており、隣接する凸部領域ごとに、床材表面の略法線方向からみて、前記稜辺の方向を異にすることを特徴とする床材。【選択図】図１
2018003325.tif 000002
【特許請求の範囲】
【請求項１】
表面に複数の凸部が所定の間隔を設けて配設されている床材であって、
前記凸部は、床材表面から略鉛直に立設する第一の立設面と、それに対向して床材表面から略鉛直に立設する第二の立設面とを備え、
前記第一の立設面及び前記第二の立設面は、それぞれ上端に頂部を有し、前記頂部を構成する夾辺を備える略三角形状を呈し、
前記凸部は、前記第一の立設面の頂部と前記第二の立設面と頂部とをつなぐ稜辺を有し、かつ前記稜辺から床材表面に向かって前記立設面の夾辺に沿って延びる沿面を備えており、
隣接する凸部領域ごとに、床材表面の略法線方向からみて、前記稜辺の方向を異にすることを特徴とする床材。
【請求項２】
前記立設面の上部にある頂部の頂角が４５〜１３５°であることを特徴とする請求項１に記載の床材。
【請求項３】
前記立設面の上部にある頂部がアールを有することを特徴とする請求項１又は２に記載の床材。
【請求項４】
前記稜辺が床材表面に対して傾斜していることを特徴とする請求項１〜３のうちのいずれかに記載の床材。
【発明の詳細な説明】
【技術分野】
【０００１】
本発明は、床材に関し、より詳細には、例えばバルコニーや通路、階段、室内、トイレ、浴室等に敷設される高い防滑性及び意匠性を有する床材に関する。
【背景技術】
【０００２】
商業施設や住宅等の屋外フロア、マンションの共用廊下、バルコニー、階段等に敷設される合成樹脂製の床材には、防滑性が求められ、当該床材の表面に凹凸を形成して防滑性を付与することが一般的である。
【０００３】
ここで、例えば特許文献１（特開２０１６−０１１５６７号公報）においては、四つの矩形立設面を有し、該矩形立設面の上端に平坦な水平面を有した凸部を具備する床材が提案されている。この凸部を具備する床材は、凸部の上端に９０度の頂角となる頂部を四つ有し、該四つの頂部が歩行者の足裏等に作用することで一定程度の防滑性を発揮するものである。即ち、凸部が具備する頂部が歩行者の足裏等に食い込む、又は該足裏等の凹凸に係合して防滑作用を発揮することが推察されるものである。
【先行技術文献】
【特許文献】
【０００４】
【特許文献１】特開２０１６−０１１５６７号公報
【発明の概要】
【発明が解決しようとする課題】
【０００５】
しかしながら、上記のような凸部を具備する床材は、当該凸部における構造として上端に平坦な水平面を有するため、歩行者の足裏等に対する頂部の食い込み及び係合作用が低減してしまう。これにより、当該歩行者の足裏等が凸部上で上滑りするケースが発生し、確実に防滑効果を発揮することができなかった。
【０００６】
また、床材全面に一定の防滑効果を付与するため、複数の凸部が規則性を持って床材に配設されている。このため、床材の表面は単調な意匠となり易く、視認性及び美観を考慮した意匠性を持たせることが困難であった。
【０００７】
そこで、本発明は、上記問題に鑑みて創作されたものであり、優れた防滑効果及び係合効果を発揮し、視認性及び美観を具備した意匠性に優れる床材を提供することを目的とする。
【課題を解決するための手段】
【０００８】
上記の課題を解決すべく、本発明は、
表面に複数の凸部が所定の間隔を設けて配設されている床材であって、
前記凸部は、床材表面から略鉛直に立設する第一の立設面と、それに対向して床材表面から略鉛直に立設する第二の立設面とを備え、
前記第一の立設面及び前記第二の立設面は、それぞれ上端に頂部を有し、前記頂部を構成する夾辺を備える略三角形状を呈し、
前記凸部は、前記第一の立設面の頂部と前記第二の立設面と頂部とをつなぐ稜辺を有し、かつ前記稜辺から床材表面に向かって前記立設面の夾辺に沿って延びる沿面を備えており、
隣接する凸部領域ごとに、床材表面の略法線方向からみて、前記稜辺の方向を異にすることを特徴とする床材を提供する。
【０００９】
このような構成を有する本発明の床材１は、凸部１１が表面層３から略鉛直に立設する第一の立設面３１及び第二の立設面３７を具備して構成されるため、凸部１１の上部で第一の立設面側頂部３３及び第二の立設面側頂部３９が上方に向いて配置される。
また、当該第一の立設面側頂部３３及び第二の立設面側頂部３９は稜辺１９によって繋がれており、凸部１１の上端に平坦面を持たない構成となっている。このため、歩行者が足裏（ソールに凹凸の施された、若しくは平坦な履物を履いた足裏や裸足の足裏を含む。）を床材１に接して床材１の上を歩行する等の際、足裏等が比較的平らな場合は、第一の立設面側頂部３３及び第二の立設面側頂部３９と、稜辺１９と、が食い込み、歩行者の足裏等が凹凸を有する場合は、第一の立設面側頂部３３及び第二の立設面側頂部３９と、稜辺１９と、による食い込みに加えて、足裏等の凹凸に係合し、更に高い防滑効果を発揮することができる。更にまた、隣接する凸部領域ごとに稜辺１９の方向を異にしているため、歩行者は単一の方向だけではなく、複数の方向においても各凸部１１の防滑効果を享受することができる。なお、凸部領域とは、必ずしも複数の凸部１１が集まったものに限定されず、少なくとも１つ以上の凸部１１を含むものである。
【００１０】
上記の本発明の床材１においては、表面層３に光（太陽光や照明光）が照射した場合、各凸部１１が具備する面が照射光を反射する又はその反対側面は影となり、当該反射及び影の発生は光の照射角によって変化する。このため、歩行者は表面層３を見ることにより、当該歩行者の視点と、本床材１の位置及び角度と、光の照射角と、の組み合わせによって明部及び暗部を視認することができる。また、当該明部及び暗部は歩行者の視点と、本床材１の位置及び角度と、光の照射角と、のいずれかが変ることで明暗態様や明暗バランスが変化する。これにより、歩行者における表面層３の視認性を向上しつつ、明暗態様の変化による高い意匠効果を発揮することができる。
【００１１】
上記のような構成を有する本発明の床材１においては、
前記立設面の上部にある頂部の頂角が４５〜１３５°であることを特徴とすることが望ましい。
【００１２】
このような構成を有する本発明の床材１は、第一の立設面側頂角θ１及び第二の立設面側頂部θ２を４５〜１３５度の範囲で形成することにより、第一の立設面側頂部３３及び第二の立設面側頂部３９が適度に鋭利な形状となり、歩行者の足裏等に食い込んで係合効果を高める。また、歩行者が誤って転倒した際には怪我の発生を防止するとともに、歩行感の向上や裸足時の痛みを軽減できる等、防滑効果を高めつつ安全性にも配慮することができる。
【００１３】
上記のような構成を有する本発明の床材１においては、
前記立設面の上部にある頂部がアールを有することを特徴とすることが好ましい。
【００１４】
このような構成を有する本発明の床材１は、第一の立設面側頂角θ１及び第二の立設面側頂角θ２にアールを持たせることで、歩行者が転倒した場合における安全性を高めるとともに、成形性及び賦形性を向上することができ、更に第一の立設面側頂部３３及び第二の立設面側頂部３９の破損を抑制することが可能となる。
【００１５】
更に、上記のような構成を有する本発明の床材１においては、
前記稜辺が床材表面に対して傾斜していることを特徴とすることが好ましい。
【００１６】
このような構成を有する本発明の床材１は、少なくとも一つの頂部を表面層３から突出して構成することができる。これにより、歩行者の足裏等に対する食い込みや係合効果を更に高めることが可能となる。
【発明の効果】
【００１７】
本発明の床材１は、凸部１１は略鉛直に立設する複数の立設面を具備し、更に当該立設面が歩行者の足裏等に対して好適に食い込む頂部を備えることから、優れた防滑効果と、係合効果と、を発揮するとともに、光の照射によって床材の表面層３に明暗を生じさせ、床材１の視認性向上と、視覚的な変化と、を可能とするものである。
【図面の簡単な説明】
【００１８】
【図１】本実施形態に係る床材１の概要を示す部分斜視図である。
【図２】図１に示す凸部１１における各部位を示した斜視図である。
【図３】図２に示す第一の立設面３１及び第二の立設面３７を示した正面図である。
【図４】図２に示す第一の立設面３１及び第二の立設面３７における接点部を側面視した部分側面図である。
【図５】図１に示す凸部１１の各部におけるサイズを説明する図であって、図５（ａ）は凸部１１の平面図であり、図５（ｂ）は凸部１１における第一の立設面３１又は第二の立設面３７の側面図である。
【図６】図１に示す凸部１１の形状の変形例１について説明する図であって、図６（ａ）は、凸部１１の変形例１を示した平面図であり、図６（ｂ）は凸部１１の変形例１を示した側面図である。
【図７】図１に示す凸部１１の形状の変形例２について説明する図であって、図７（ａ）は、凸部１１の変形例２を示した平面図であり、図７（ｂ）は凸部１１の変形例２を示した側面図である。
【図８】図１に示す凸部１１の形状の変形例３について説明する図であって、図８（ａ）は、凸部１１の変形例３を示した平面図であり、図８（ｂ）は凸部１１の変形例３を示した側面図である。
【図９】図１に示す凸部１１の形状の変形例４について説明する図であって、図９（ａ）は、凸部１１の変形例４を示した平面図であり、図９（ｂ）は凸部１１の変形例４を示した側面図である。
【図１０】図１に示す凸部１１の形状の変形例５について説明する図であって、図１０（ａ）は、凸部１１の変形例５を示した平面図であり、図１０（ｂ）は凸部１１の変形例５を示した側面図である。
【図１１】図１に示す凸部１１の形状の変形例６について説明する図であって、図１１（ａ）は、凸部１１の変形例６を示した平面図であり、図１１（ｂ）は凸部１１の変形例６を示した側面図である。
【図１２】図１における凸部１１の配設例１を示した部分平面図である。
【図１３】図１における凸部１１の配設例２を示した部分平面図である。
【図１４】図１における凸部１１の配設例３を示した部分平面図である。
【図１５】隣接する凸部１１間における距離を説明する図であって、図１５（ａ）は表面層３に凸部１１を規則的かつ等間隔に配設した部分平面図であり、図１５（ｂ）は表面層３に凸部１１を不規則かつランダムに配設した部分平面図である。
【図１６】図１における凸部１１の配設例４を示した部分平面図である。
【図１７】図１における凸部１１の配設例５を示した部分平面図である。
【図１８】図１における凸部１１の配設例６を示した部分平面図である。
【図１９】本実施形態に係る床材１に光が入射することによる作用効果を示した部分斜視図である。
【発明を実施するための形態】
【００１９】
以下、本発明に係る床材１の実施形態を、図１〜図１９を参照しながら詳細に説明する。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００２０】
図１を用いて、本実施形態における床材１の概要を説明する。図１は、本実施形態に係る床材１の概要を示す部分斜視図である。本実施形態の床材１は、例えば、屋内外における通路、階段、トイレ、浴室等の床面に敷設して用いられるものであって、当該床面に本実施形態の床材１を敷設することにより防滑性を向上することができ、通路を歩行する歩行者等の転倒を防止することができる。更に本実施形態の床材１は、明暗を生じさせる表面の形状パターンにより意匠性を向上させることができるものである。
【００２１】
本実施形態の床材１は、概ね表面層３と、裏面層５と、表面層３のうちの裏面層５とは反対側の表面に防滑性を向上するために設けられた複数の突起状の凸部１１と、で構成されている。なお、便宜上、表面層３のうちの裏面層５とは反対側の面において、凸部１１が配設されていない床材表面の領域を平坦部１３と称する。
【００２２】
この床材１は、所望の形状を反転した賦形金型や賦形ロールを用いて賦形するものであり、特に熱可塑性合成樹脂を用いる場合はシート状の樹脂体、粉体、又はチップ状の樹脂を一定の厚みに散布した略シート状の樹脂体をガラス転移点又は流動性を有する温度以上まで加熱し、これをロールプレスすることにより連続的に長尺の本床材１を形成することができる。
【００２３】
上記手法を用いて形成した本実施形態の床材１を粘着剤や接着剤等を用い、地面に本床材１を貼着敷設して使用する。勿論、貼着せず地面に本床材１を直接載置することで使用してもよい。
【００２４】
表面層３は、本実施形態の床材１における主層であり、表面層３に複数の凸部１１を設けることで防滑性を向上させている。表面層３は軟質又は硬質の塩化ビニル樹脂、ポリオレフィン樹脂等の熱可塑性合成樹脂、熱硬化性樹脂、ゴム等の弾性を有する賦形性の高い材料で形成されることが望ましい。また、例えば熱可塑性合成樹脂を用いる場合は、当該樹脂に炭酸カルシウムやタルク等の充填剤を添加することで、表面層３の強度を向上しつつ、使用する樹脂量を低減してコストダウンを行うことができる。
【００２５】
裏面層５は、本実施形態の床材１における補助層であり、熱可塑性合成樹脂、熱硬化性樹脂、ゴム等で構成された裏面層５を表面層３と積層させることで本床材１における引張強度及び引裂き強度を向上させている。更に、表面層３と裏面層５との間に、中間層（不図示）を間挿積層して、線膨張率を規制して不等伸縮を抑制することができる。この中間にはガラス繊維や熱可塑性合成樹脂等を用いて構成された織布や不織布を用いて構成されることが望ましい。
【００２６】
次に、図２を用いて凸部１１を構成する部位について説明する。図２は凸部１１における部位を示した斜視図である。凸部１１は、表面層３のうちの裏面層５とは反対側の面に設けられた突起であって、凸部１１が歩行者の足裏等に作用することで一定の防滑性を発揮するものである。
【００２７】
凸部１１は、床材表面、即ち表面層３のうちの裏面層５とは反対側の面から略鉛直に立設する第一の立設面３１と、第一の立設面３１に対向して表面層３から略鉛直に立設する第二の立設面３７と、稜辺１９と、稜辺１９から平坦部１３に向かって延びる二つの沿面２１と、によって構成されている。図では、沿面２１は、直線的な平面に形成して表しているが、面全体を傾斜する方向に湾曲させてもよく、また稜辺１９と同じ方向に湾曲せてもよく、前記両方向への湾曲を組合わせてもよい。ただし、その場合は、ゴミの付着や堆積を考慮して、面の中央部が上方に盛り上がるように、凸湾曲して沿面２１を形成することが好ましい。
【００２８】
より詳細には、凸部１１において、第一の立設面３１は、床材表面、即ち表面層３のうちの裏面層５とは反対側の面から略鉛直に立設し、第一の立設面側頂部３３及び第一の立設面側頂部３３を構成する２つの第一の立設面側夾辺３５を有する。
また、第二の立設面３７は、第一の立設面３１に対向して表面層３から略鉛直に立設し、第二の立設面側頂部３９及び該第二の立設面側頂部３９を構成する２つの第二の立設面側夾辺４１を有する。
更に、稜辺１９は、第一の立設面側頂部３３及び第二の立設面側頂部３９を繋いでおり、稜辺１９から第一の立設面側夾辺３５及び第二の立設面側夾辺４１に沿って、二つの沿面２１が平坦部１３に向かって延びるように設けられている。なお、図では、一の立設面で左右の夾辺を対称的な傾斜角度としているが、左右で挟辺の傾斜角度を異ならせてもよい。
【００２９】
次に、図３に第一の立設面３１及び第二の立設面３７の各部における角度及びアールを示す。図３は、第一の立設面３１及び第二の立設面３７を示した正面図である。第一の立設面側頂部３３及び第二の立設面側頂部３９における第一の立設面側頂角θ１及び第二の立設面側頂部θ２は、４５〜１３５度であることが好ましい。第一の立設面側頂角θ１及び第二の立設面側頂部θ２を当該範囲で形成することで、第一の立設面側頂部３３及び第二の立設面側頂部３９が適度に鋭利な形状となり、歩行者の足裏等に食い込んで係合効果を高める。また、歩行者が誤って転倒した際には怪我の発生を防止するとともに、歩行感の向上や裸足時の痛みを軽減できる等、防滑効果を高めつつ安全性にも配慮された形状を有している。
【００３０】
更に第一の立設面側頂部アール２３及び第二の立設面側頂部アール２４は、０．１〜１．５ｍｍであるのが好ましい。０．１〜１．５ｍｍとすることで、より安全性を高めると同時に、成形性及び賦形性を向上することができ、第一の立設面側頂部３３及び第二の立設面側頂部３９の破損をより確実に抑制可能となる。
【００３１】
第一の立設面側夾辺３５及び第二の立設面側夾辺４１と、表面層３の平坦部１３と、の接点に設けられた第一の立設面側付根アール２５及び第二の立設面側付根アール２６は、０．１〜３．０ｍｍであるのが好ましい。０．１〜３．０ｍｍとすることにより、平坦部１３と沿面２１との間に構成される入隅部に、汚れや埃等のゴミが付着及び蓄積することがより確実に抑制可能となる。
【００３２】
ここで、図４に、第一の立設面３１及び第二の立設面３７と、平坦部１３と、における接点部を示す。図４は、第一の立設面３１及び第二の立設面３７における接点部を側面から示した部分側面図である。第一の立設面３１及び第二の立設面３７は、表面層３から略鉛直に立設するものであるが、凸部１１の成形性及び賦形性（金型やロールなどからの抜き勾配）を考慮すると、第一の立設面３１及び第二の立設面３７と、表面層３と、により形成される第一の立設面側立設角θ３及び第二の立設面側立設角θ４は、８０〜９０度の範囲（特に、９０を超えて１００度程度までとすることが好ましい）で形成することが好ましい。
【００３３】
また、第一の立設面側立設角θ３及び第二の立設面側立設角θ４に形成される、第一の立設面側アール２７及び第二の立設面側アール２８は、０．１〜３．０ｍｍとすることが好ましい。０．１〜３．０ｍｍとすることにより、第一の立設面３１及び第二の立設面３７と、平坦部１３と、の間に構成される入隅部に、汚れや埃等のゴミが付着及び蓄積することをより確実に抑制可能となる。
【００３４】
次に、図５（ａ）及び（ｂ）を用いて凸部１１における各部のサイズについて説明する。図５（ａ）及び（ｂ）は、凸部１１の各部におけるサイズを説明する図であって、図５（ａ）は凸部１１の平面図であり、図５（ｂ）は凸部１１における第一の立設面３１又は第二の立設面３７の側面図である。凸部１１のサイズは稜辺方向の長さＬ１と、立設面方向の長さＬ２と、立設面の高さＨ１と、により決定され、これらの具体的な値は本発明の効果を損なわない範囲で適宜決定することができる。
【００３５】
なかでも、本発明の効果をより確実に発揮させるという観点から、稜辺方向の長さＬ１は、１．０〜２０．０ｍｍ、立設面方向の長さＬ２は、１．０〜２０．０ｍｍ、立設面の高さＨ１は、０．３〜２．０ｍｍの範囲で形成することが好ましい。また、稜辺方向の長さＬ１は立設面方向の長さＬ２と比して、同寸又は長寸でもよく、Ｌ１／Ｌ２は、１．０〜１０．０の範囲で形成するとよい。防滑性の更なる向上のためには、Ｌ１／Ｌ２が１．０〜３．０の範囲にすることが好ましい。上記とは逆に、Ｌ１／Ｌ２が０．１〜０．５程度の範囲とすることにより、凸部１１が柔軟な材料で形成された場合、歩行者の足裏等による踏み応力で凸部１１が弾性的に変形して、稜辺方向に倒れることができ、歩行による足裏への衝撃を緩和でき、又一歩行者が転倒した場合であっても、歩行者が怪我することを防止できる。
【００３６】
凸部１１における各部を上記サイズの範囲で形成することで、当該凸部１１と、歩行者の平均的な足裏等における面積と、の関係において適切な防滑性が得られるとともに、平坦部１３と、該平坦部１３に接する各面と、で構成される入隅部に汚れや埃等のゴミの付着及び蓄積することを好適に抑制することができる。即ち、上記において明記した凸部１１における各部のサイズは、防滑性及び防汚性のバランスをより確実に最適化し得るものである。
【００３７】
凸部１１は、該凸部１１と歩行者の足裏等との間の摩擦力を調節するため、適宜表面に微細な凹凸、シボ又は梨地等を付加する加工を施してもよく、逆に鏡面としてもよい。また、凸部１１の耐汚性や耐摩耗性を向上するため、表面に所望の塗装を施して塗装膜を設けてもよい。更に、当該塗膜層に微細な粒子等を含有させることで凸部１１の表面に小さな突起を形成させてもよい。平坦部１３は、凸部１１と同様に、微細な凹凸、シボ又は梨地等を付加してもよいが、鏡面とすることで、汚れの堆積しやすい平坦部１３へのゴミの付着や蓄積を防止し、床材１全体の防汚性を向上させてもよい。
【００３８】
凸部１１の硬度は、ショアＡ硬度として６０〜９５Ａ（ＪＩＳ  Ｋ  ６２５３）の範囲で形成することが好ましい。凸部１１は、高硬度となるほど防滑効果及び自身の耐摩耗性が向上するが、割れやカケ等の発生が懸念され、更に歩行者が転倒した際に当該歩行者が凸部１１で怪我をしてしまうおそれがある。このため、凸部１１を上記範囲内で形成することにより、所望の防滑効果と、歩行者が本実施形態の床材１に転倒した際における怪我の防止と、を両立させることができる。
【００３９】
＜凸部１１の変形例＞
以下に、図６〜１０を用いて、凸部１１の形状の変形例について説明する。図６（ａ）及び（ｂ）に凸部１１の変形例１を示す。図６（ａ）は、凸部１１における変形例１を示した平面図であり、図６（ｂ）は凸部１１における変形例１を示した側面図である。変形例１の床材１における凸部１１は、二等辺三角形や不等辺三角形となる第一の立設面３１及び第二の立設面３７を具備することが基本形となるが、図６（ａ）及び（ｂ）に示すように直角三角形としてもよい。変形例１は、直角三角形の対辺又は隣辺を表面層３側に当接する形で第一の立設面３１及び第二の立設面３７を立設し、一方の沿面２１を表面層３に対して略鉛直に立設させて凸部１１を形成したものである。このため、稜辺１９は略鉛直に立設した沿面２１の真上に位置することになり、当該稜辺１９と略直交する方向（特に、一方の略鉛直に立設した沿面２１側から、他方の傾斜して立設した沿面２１側に向かって移動する場合）に対して防滑効果を更に高めることができる。当該変形例１を用いて構成した床材１は、一方方向に対して高い防滑効果を必要とするスロープや階段等の斜面に敷設することが好ましい。この場合、略鉛直に立設した沿面２１は、滑落の危険が大きい、降り勝手に対し、即ちスロープや階段の上方側に向けて形成することが好ましい。
【００４０】
図７（ａ）及び（ｂ）に凸部１１の変形例２を示す。図７（ａ）は、凸部１１の変形例２を示した平面図であり、図７（ｂ）は凸部１１の変形例２を示した側面図である。図７（ａ）及び（ｂ）に示すように、凸部１１は、沿面２１と、平坦部１３と、の間に鉛直面５１を具備し、第一の立設面３１及び第二の立設面３７を三角形以外の多角形としてもよい。また、変形例２を応用して、沿面２１と、鉛直面３１と、の当接部を湾曲させて当該沿面２１と、鉛直面３１と、の繋がりを滑らかにした形状としてもよい。当該変形例２は、表面層３の平坦部１３と、沿面２１の下端と、に距離を設けたものであり、当該平坦部１３に粉塵等のゴミがある程度蓄積したとしても、第一の立設面側頂部３３及び第二の立設面側頂部３９が粉塵等のゴミに埋まりにくい。このため、屋外において粉塵等のゴミが飛散する恐れのある比較的劣悪な地面に敷設することでより効果を発揮するものであると考えられる。
【００４１】
図８（ａ）及び（ｂ）に凸部１１の変形例３を示す。図８（ａ）は、凸部１１の変形例３を示した平面図であり、図８（ｂ）は凸部１１の変形例３を示した側面図である。図８（ａ）及び（ｂ）に示すように、凸部１１は、第一の立設面３１及び第二の立設面３７と、稜辺１９と、の接触部を直角以外の角度で形成してもよい。変形例３は、図８（ａ）において第一の立設面３１及び第二の立設面３７を左右にずらして立設し、凸部１１を略平行四辺形に形成したものである。当該変形例３では、第一の立設面３１及び第二の立設面３７による防滑効果の作用方向と、稜辺１９による防滑効果の作用方向と、が直角以外の角度関係となるため、即ち、立設面３１，３７と直交する方向に歩行者が歩行した場合でも、稜辺１９も防滑性に大きく寄与でき、当該変形例３で形成した凸部１１を配設する本実施形態の床材１は、より多くの方向において防滑効果を期待できるとともに、高い防滑性を発揮することができる。
【００４２】
図９（ａ）及び（ｂ）に凸部１１の変形例４を示す。図９（ａ）は、凸部１１の変形例４を示した平面図であり、図９（ｂ）は凸部１１の変形例４を示した側面図である。図９（ａ）及び（ｂ）に示すように、凸部１１は、互いに形状の異なる第一の立設面３１及び第二の立設面３７を用いて形成してもよい。変形例４は、第一の立設面３１と、第二の立設面３７と、における底辺の辺長を異にし、床材表面の略法線方向からみた、所謂平面視において凸部１１を略台形に形成したものである。変形例４は、表面層３から略鉛直に立設する第一の立設面３１及び第二の立設面３７の形状を異にすることで、該第一の立設面３１及び第二の立設面３７による防滑効果の作用方向において効果に違いを持たせることができる。
【００４３】
図１０（ａ）及び（ｂ）に凸部１１の変形例５を示す。図１０（ａ）は、凸部１１の変形例５を示した平面図であり、図１０（ｂ）は凸部１１の変形例５を示した側面図である。図１０（ａ）及び（ｂ）に示すように、凸部１１は、複数の凸部１１を組み合わせて形成してもよい。変形例５は、同一形状における２つの凸部１１を、双方の稜辺１９における中心で略鉛直に交差させて形成したものである。
【００４４】
次に、図１１（ａ）及び（ｂ）に凸部１１の変形例６を示す。図１１（ａ）は、凸部１１の変形例６を示した平面図であり、図１１（ｂ）は凸部１１の変形例６を示した側面図である。図１１（ａ）及び（ｂ）に示すように、変形例６は、第一の立設面３１と、第二の立設面３７と、における底辺の辺長を異にし、さらに当該第一の立設面３１と、第二の立設面３７と、における高さを異にして形成したものである。平面視においては、変形例４と同様に凸部１１を略台形に形成したものであるが、当該変形例６は、第一の立設面側頂部３３と、第二の立設面側頂部３９と、における高さ位置に差異が生じるため、どちらか一方をより突出して構成することができる。これにより、歩行者の足裏等に対する食い込み及び係合効果をさらに高めることが可能となる。
【００４５】
なお、本変形例６では、第一の立設面３１と、第二の立設面３７と、における底辺の辺長を異にし、さらに当該第一の立設面３１と、第二の立設面３７と、における高さを異にさせたが、底辺の辺長を同じくし、第一の立設面側頂角θ１及び第二の立設面側頂角θ２とを異にして、第一の立設面３１と、第二の立設面３７と、における高さを異にして、凸部１１を形成してもよいことは言うまでもない（この場合は、平面視における凸部１１を略矩形若しくは正方形に認められる）。
【００４６】
図６〜１１を用いて凸部１１の変形例１〜６を説明したが、凸部１１の形状はこれらに限定されるものではない。例えば凸部１１を構成する一部の高さ寸法における変更や各部の角度における変更等の設計変更を行うことが可能であり、これら設計変更の態様は当然に本願発明の技術的範囲に含まれる。また、これらの凸部１１の形状や変形例は、凸部１１毎に異ならせて組合わせて表面層３上に形成してもよいし、後述するように凸部領域ごとに同様の凸部１１を形成したうえで、凸部領域ごとに異ならせて組合わせてもよい。
【００４７】
＜凸部１１の配設＞
次に、表面層３における複数個の凸部１１の配設例を説明する。図１２は、表面層３における凸部１１の配設例１を示した部分平面図であり、図１に対応している。図１２に示すとおり、配設例１は全ての凸部１１を２種類の配設方向（例えば稜辺１９の方向を０度と９０度）に分け、当該２種類の配設方向に分けた第一方向凸部Ｘ１と、第二方向凸部Ｘ２と、をそれぞれ等間隔かつ交互に配設させたものである。具体的には、第一方向凸部Ｘ１と、第二方向凸部Ｘ２と、を等間隔で交互に配設して構成した第一列Ｒ１の隣に、該第一列Ｒ１における第一方向凸部Ｘ１と第二方向凸部Ｘ２と、の配設順を異にして構成した第二列Ｒ２を並べ、当該第一列Ｒ１と、第二列Ｒ２と、を交互に配設して構成したものである。
【００４８】
上記配設例１を用いて凸部１１を配設することにより、図１２において縦方向及び横方向に高い防滑効果を発揮することができる。また、例えば稜辺１９の方向を９０度と、４５度と、に分けて凸部１１を配設すれば、縦方向及び斜め方向に高い防滑性を発揮することができる。凸部１１の配設方向は敷設場所における用途により適宜決定可能であり、更に複数を組み合わせて構成してもよい。
【００４９】
次に、凸部１１の配設の変形例として、図１３に表面層３における凸部１１の配設例２を示す。図１３は、配設例２を示した部分平面図である。図１３に示すとおり、配設例２は全ての凸部１１を２種類の配設方向（例えば稜辺１９の方向を０度と９０度）に分け、当該２種類の配設方向に分けた第一方向凸部Ｘ１と、第二方向凸部Ｘ２と、を組み合わせて千鳥状に配設したものである。具体的には、等間隔で第一方向凸部Ｘ１を連続配設した第一列Ｒ３の隣に、同じく等間隔で第二方向凸部Ｘ２を連続配置した第二列Ｒ４を並べ、更に当該第一列Ｒ３と、第二列Ｒ４と、の位置をずらして互いの第一方向凸部Ｘ１と、第二方向凸部Ｘ２と、が縦方向において直線的に隣接しないよう交互に配設したものである。
【００５０】
上記配設例２を用いて凸部１１を配設することにより、図１３における縦方向及び横方向に高い防滑効果を発揮することができる。また、歩行者の足裏等（履物におけるソール部等）に備えられた凹凸の間隔が広い場合、当該歩行者の足裏等と、配設例２を用いて配設された凸部１１と、が食い込み合い、係合効果を更に高めることができる。また、配設例１と同様に凸部１１の配設方向は用途により適宜決定可能であり、更に複数を組み合わせた構成としてもよい。
【００５１】
図１４に表面層３における凸部１１の配設例３を示す。図１４は、配設例３を示した部分平面図である。図１４に示すとおり、配設例３は全ての凸部１１における配設位置及び配設方向に規則性を持たせず、凸部１１が互いに重なり合わないようランダムに配設させたものである。当該配設例３を用いて凸部１１を配設することにより、図１４において如何なる方向にも防滑効果を発揮することができ、進行方向に指定のないスペース等で使用することが適している。
【００５２】
上述のとおり、凸部１１の配置例１〜３を説明してきたが、当該配置例１〜３は代表的な配設方法であり、必ずしもこれらに限定されるものではない。例えば稜辺１９の方向を同一にして配設した複数の凸部１１からなる領域を設け、更に当該領域を複数設けてそれぞれの領域における稜辺１９の方向を異にした配設としてもよいし、上記配設例１〜３を部分的に組み合わせた配設としてもよい。
【００５３】
続いて、図１５（ａ）及び（ｂ）を用い、隣接する凸部１１間における距離について説明する。図１５（ａ）及び（ｂ）は、表面層３に配設された隣接する凸部１１間における距離を説明する図であって、図１５（ａ）は表面層３に凸部１１を規則的かつ等間隔に配設した部分平面図であり、図１５（ｂ）は表面層３に凸部１１を不規則かつランダムに配設した部分平面図である。
【００５４】
本実施形態の床材１は、表面層３の凸部１１を重なり合わないよう配設している。即ち、隣接する凸部１１の間には必ず所定の距離を持たせて平坦部１３を配するものである。図１５（ａ）は、表面層３に凸部１１を規則的かつ等間隔に配設したものであるが、複数の凸部１１における位置及び該凸部１１間の距離を理解容易に説明するため、当該図１５（ａ）では隣接する凸部１１を第一凸部Ｘ３と、第二凸部Ｘ４と、に分けて説明することにする。
【００５５】
図１５（ａ）に示すとおり、表面層３に規則的かつ等間隔に配設した隣接する第一凸部Ｘ３及び第二凸部Ｘ４は、第一凸部Ｘ３における第一凸部側立設面１０１及び第一凸部側沿面１０３のいずれかと、第二凸部Ｘ４における第二凸部側立設面１１１及び第二凸部側沿面１１３のいずれかと、が対面することになる。当該対面する第一凸部Ｘ３における第一凸部側立設面１０１及び第一凸部側沿面１０３のいずれかと、第二凸部Ｘ４における第二凸部側立設面１１１及び第二凸部側沿面１１３のいずれかと、における最短距離Ｄ１は、本発明の効果を損なわない範囲で適宜調整すればよいが、例えば０．５〜３．０ｍｍ以上確保することが好ましい。
【００５６】
また、図１５（ｂ）に示すとおり、表面層３に凸部１１を不規則かつランダムに配設した場合は、凸部１１と、該凸部１１に隣接する他の凸部１１と、における対面部位も不規則となる。このため、凸部１１と、該凸部１１に隣接する他の凸部１１と、における最短距離Ｄ１は、凸部１１と、該凸部１１に隣接する他の凸部１１と、における最も距離が短くなる位置において確保することになる。このような場合において、最短距離Ｄ１は、本発明の効果を損なわない範囲で適宜調整すればよいが、例えば０．５〜３．０ｍｍ以上確保することが好ましい。
【００５７】
隣接する凸部１１間における距離を上記サイズの範囲以上で構成することで、本実施形態の床材１と、歩行者の平均的な足裏等における面積と、の関係において適切な防滑性が得られるとともに、平坦部１３と、該平坦部１３に接する各面と、で構成される入隅部に汚れや埃等のゴミの付着及び蓄積することを好適に抑制し、更に雨水等の不要な水を効果的に排水することができる。
【００５８】
凸部１１は、表面層３において同一形状のものを配設することが望ましいが、隣接する凸部１１毎又は複数の凸部１１を１つの領域とし、当該領域毎に凸部１１の形状を変更して配設してもよい。具体的には、当該凸部１１の平面視形状（稜辺１９を見下げた際の形状）、正面視形状（第一の立設面３１又は第二の立設面３７を正面視した際の形状）、側面視形状（沿面２１を正面視した際の形状）のいずれか１部の形状を変更又は各部それぞれの形状を変更することによって、凸部１１の形状を統一せず、複数種の凸部１１を表面層３に配設するものである。
【００５９】
以下より、凸部１１の形状を統一せず、複数種の凸部１１を表面層３に配設する配設例を、形状の異なる第一形状凸部Ａ１及び第二形状凸部Ａ２を用いて説明する。なお、当該説明には図１６〜図１８を用いるが、凸部１１の形状を統一しない配設は、各凸部１１におけるそれぞれの稜辺１９の方向に関係するものではないため、図１６の第一形状凸部Ａ１及び第二形状凸部Ａ２には稜辺１９を示さないものとする。
【００６０】
図１６は、形状の異なる第一形状凸部Ａ１及び第二形状凸部Ａ２を表面層３に配設した配設例４を示す部分平面図である。図１６に示すとおり、配設例４は形状の異なる第一形状凸部Ａ１及び第二形状凸部Ａ２を交互に配設し、第一形状凸部Ａ１同士又は第二形状凸部Ａ２同士が隣接しないよう配設したものである。具体的には、第一形状凸部Ａ１と、第二形状凸部Ａ２と、を等間隔で交互に配設して構成した第一列Ｒ５の隣に、該第一列Ｒ５の第一形状凸部Ａ１と第二形状凸部Ａ２と、の配設順を逆にして構成した第二列Ｒ６を並べ、当該第一列Ｒ５と、第二列Ｒ６と、を交互に配設したものである。
【００６１】
図１７は、形状の異なる第一形状凸部Ａ１及び第二形状凸部Ａ２を表面層３に配設した配設例５を示す部分平面図である。図１７に示すとおり、配設例５は複数の第一形状凸部Ａ１を集めて構成された第一形状凸部領域Ｆ１と、複数の第二形状凸部Ａ２を集めて構成された第二形状凸部領域Ｆ２と、を交互に配設し、第一形状凸部領域Ｆ１同士又は第二形状凸部領域Ｆ２同士が隣接しないよう配設したものである。具体的には、第一形状凸部領域Ｆ１と、第二形状凸部領域Ｆ２と、を等間隔で交互に配設して構成した第一帯Ｇ１の隣に、該第一帯Ｇ１の第一形状凸部領域Ｆ１と第二形状凸部領域Ｆ２と、の配設順を逆にして構成した第二帯Ｇ２を並べ、当該第一帯Ｇ１と、第二帯Ｇ２と、を交互に配設したものである。
【００６２】
図１８は、形状の異なる第一形状凸部Ａ１及び第二形状凸部Ａ２を表面層３に配設した配設例６を示す部分平面図である。図１８に示すとおり、配設例６は表面層３に配設された第一形状凸部Ａ１に隣接する４方向に同形状となる第一形状凸部Ａ１を配設し、更にこの外側に第二形状凸部Ａ２を配設することでパターンを構成し、当該パターンを連続して配設したものである。
【００６３】
なお、図１７及び図１８では、領域及びパターンを構成する第一形状凸部Ａ１及び第二形状凸部Ａ２の数を具体的に示しているが、これに限定されるものではなく、更に多数の第一形状凸部Ａ１及び第二形状凸部Ａ２で構成してもよく、少数で構成してもよい。また、第一形状凸部Ａ１の高さと第二形状凸部Ａ２の高さとを相違させる場合、双方の高さの差は本発明の効果を損なわない範囲で適宜調整可能であるが、実寸法として０．１５〜１．０ｍｍ程度の範囲内とすることが好ましく、また、双方の高さの比は、５／１０〜９／１０（低／高）程度の範囲内とすることが好ましい。
【００６４】
また、形状の異なる第一形状凸部Ａ１及び第二形状凸部Ａ２を表面層３に配設することで、本実施形態の床材１は継続的な使用による防滑効果の持続性に作用効果が生まれる。具体的には、例えば第一形状凸部Ａ１を第二形状凸部Ａ２よりも高い寸法で形成した場合、初期段階では第一形状凸部Ａ１のみが歩行者の足裏等に接触し、継続的な使用によって当該第一形状凸部Ａ１が所定量摩耗した際に第二形状凸部Ａ２が歩行者の足裏等に接触する。通常、防滑効果は摩耗量に応じて低下するが、上記のように高さ寸法の違う第一形状凸部Ａ１及び第二形状凸部Ａ２を配設することにより、摩耗に起因して第一形状凸部Ａ１の防滑効果が低下しても、時間差で歩行者の足裏等に当接する第二形状凸部Ａ２が新規に防滑効果を与える。これによって、本実施形態の床材１はより長期間に渡って防滑効果を維持することができる。なお、上記では形状の異なる第一形状凸部Ａ１及び第二形状凸部Ａ２を用いて説明したが、更に複数における形状の異なる凸部１１を加えて構成してもよい。
【００６５】
本実施形態の床材１は意匠性にも優れる点について、図１９を参照しながら説明する。図１９は、表面層３に光が入射することによる作用効果を示した部分斜視図である。上述したとおり、床材１が具備する凸部１１は、表面層３に対して略鉛直に立設する第一の立設面３１及び第二の立設面３７を有する（凸部１１の形状によってはより複数の立設面及び鉛直面を有する）ため、表面層３全体では非常に多くの立設面が当該表面層３に配設される。図１９に示すように、表面層３に光（太陽光や照明光）が照射されることによって、各凸部１１が具備する面や平坦部１３が光を反射し、凸部１１の陰になる凸部の面や平坦面１３の一部は光が入射しないため、影となって表れることになり、当該反射及び影の発生は光の照射角によっても変化する。
【００６６】
このため、歩行者は本床材１の表面層３を見ると当該歩行者の視点と、本床材１の位置及び角度と、光の照射角と、の組み合わせによって明部及び暗部を視認することができる。また、当該明部及び暗部は歩行者の視点と、本床材１の位置及び角度と、光の照射角と、のいずれかが変ることで明暗態様や明暗バランスが変化する。即ち、本実施形態の床材１は、歩行者における表面層３の視認性を高めつつ、明暗態様の変化による高い意匠効果が得られるのである。
【００６７】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００６８】
上述した本実施形態の床材１は、略鉛直に立設する複数の立設面を具備した凸部１１を多数備えることから、歩行者の足裏等に対して優れた防滑効果と、係合効果と、を発揮するとともに、光の照射によって床材の表面層３に明暗を生じさせることで、変化に富んだ高い意匠性を発揮し得るものである。
【符号の説明】
【００６９】
１      床材
３      表面層
５      裏面層
１１    凸部
１３    平坦部
１９    稜辺
２１    沿面
２３    第一の立設面側頂部アール
２４    第二の立設面側頂部アール
２５    第一の立設面側付根アール
２６    第二の立設面側付根アール
２７    第一の立設面側アール
２８    第二の立設面側アール
３１    第一の立設面
３３    第一の立設面側頂部
３５    第一の立設面側夾辺
３７    第二の立設面
３９    第二の立設面側頂部
４１    第二の立設面側夾辺
５１    鉛直面
１０１  第一凸部側立設面
１０３  第一凸部側沿面
１１１  第二凸部側立設面
１１３  第二凸部側沿面
θ１    第一の立設面側頂角
θ２    第二の立設面側頂角
θ３    第一の立設面側立設角
θ４    第二の立設面側立設角
Ｌ１    稜辺方向の長さ
Ｌ２    立設面方向の長さ
Ｈ１    立設面の高さ
Ｘ１    第一方向凸部
Ｘ２    第二方向凸部
Ｘ３    第一凸部
Ｘ４    第二凸部
Ｆ１    第一形状凸部領域
Ｆ２    第二形状凸部領域
Ｒ１    第一列
Ｒ２    第二列
Ｒ３    第一列
Ｒ４    第二列
Ｒ５    第一列
Ｒ６    第二列
Ｇ１    第一帯
Ｇ２    第二帯
Ｄ１    最短距離
Ａ１    第一形状凸部
Ａ２    第二形状凸部
【図１】
2018003325.tif 000003
【図２】
2018003325.tif 000004
【図３】
2018003325.tif 000005
【図４】
2018003325.tif 000006
【図５】
2018003325.tif 000007
【図６】
2018003325.tif 000008
【図７】
2018003325.tif 000009
【図８】
2018003325.tif 000010
【図９】
2018003325.tif 000011
【図１０】
2018003325.tif 000012
【図１１】
2018003325.tif 000013
【図１２】
2018003325.tif 000014
【図１３】
2018003325.tif 000015
【図１４】
2018003325.tif 000016
【図１５】
2018003325.tif 000017
【図１６】
2018003325.tif 000018
【図１７】
2018003325.tif 000019
【図１８】
2018003325.tif 000020
【図１９】
2018003325.tif 000021